(57)【要約】【課題】パネル部に設けられる照明装置を小型化するとともに、パネル部で仕切られた両側の使用領域全体が十分な明るさで照明される間仕切りを提供する。【解決手段】本発明の間仕切りは、パネル部の上端部に沿って照明装置が設けられている。照明装置は、複数のＬＥＤ素子が基板上に並列して実装された線状光源と、上面が開口し、この開口から内部に線状光源が収容される基台と、線状光源からの出射光の光路上に配設される反射板とを備えている。反射板は、第１の反射面と第２の反射面とを備える。第１及び第２の反射面は、線状光源における中心軸線の上方位置で会合し、かつ、会合部分から離れるにしたがってＬＥＤ素子の出射面を含む平面との間の距離が大きくなるように構成される。ＬＥＤ素子から出射された光のうち、第１の反射面で反射した光でパネル部を挟んだ一方側の領域を照明し、第２の反射面で反射した光でパネル部を挟んだ他方側の領域を照明する。【選択図】        図１
2010189836.tif 000002
【特許請求の範囲】
【請求項１】
パネル部の上端部に沿って照明装置が配設された間仕切りであって、
前記照明装置は、
光の出射方向が同じ方向となるように複数のＬＥＤ素子が基板上に並列して実装された線状光源と、上面が開口し、この開口から内部に前記線状光源が収容される基台と、前記線状光源からの出射光の光路上に配設される反射板とを備え、
前記反射板は、第１の反射面と第２の反射面とを備え、
前記第１の反射面及び第２の反射面は、前記線状光源における中心軸線の上方位置で会合し、かつ、前記会合部分から離れるにしたがって前記ＬＥＤ素子の出射面を含む平面との間の距離が大きくなるように構成され、
前記ＬＥＤ素子から出射された光のうち、前記第１の反射面で反射した光で、前記パネル部を挟んだ一方側の領域を照明する一方、前記第２の反射面で反射した光で、前記パネル部を挟んだ他方側の領域を照明することを特徴とする間仕切り。
【請求項２】
前記照明装置における前記第１の反射面及び前記第２の反射面は、
その長手方向と直交する断面形状が略Ｖ字状を成すことを特徴とする請求項１に記載の間仕切り。
【請求項３】
前記照明装置における前記第１の反射面及び前記第２の反射面に微細な凹凸を形成したことを特徴とする請求項１又は２に記載の間仕切り。
【請求項４】
前記照明装置における前記反射板は、前記基台上に立設された支柱によって支持されており、前記支柱における前記反射板の支持面は、前記第１の反射板と第２の反射板との会合部分と合致する形状に形成されていることを特徴とする請求項１から３のいずれか一つに記載の間仕切り。
【発明の詳細な説明】
【技術分野】
【０００１】
本発明は、空間を仕切るパネル状の間仕切りに関する。
【背景技術】
【０００２】
従来、室内空間を仕切るパネル状の間仕切りにおいて、間接照明の機能が付加されたものが知られている（例えば特許文献１を参照）。この間仕切りは、天井から所定距離離間させて設置されるローパーティションであり、その上端部に蛍光管などの照明装置が収容され、照明装置から天井に向けて照射した光の反射光を利用して、間仕切りで仕切られた室内空間を間接的に照明するように構成されている。
【０００３】
【特許文献１】特開２０００−５４５３３号公報
【発明の開示】
【発明が解決しようとする課題】
【０００４】
しかしながら、間仕切りの上端部に蛍光管などの照明装置を収容する構造では、間仕切りが大型化するとともに、間仕切りの見栄えが悪くなるという問題がある。
【０００５】
また、特許文献１の間仕切りは、照明装置から出射された光を天井で反射させるため、天井で反射した光が室内全体に拡散してしまう。そのため、間仕切り付近の使用領域（作業領域）を十分な明るさで照明することができないという問題がある。
【０００６】
本発明は、上記実情に鑑みて、上端部に設けられる照明装置を小型化するとともに、間仕切りで仕切られた両側の使用領域が十分な明るさで照明される間仕切りを提供することを目的とする。
【課題を解決するための手段】
【０００７】
上記の目的を達成するために、本発明の請求項１に係る間仕切りは、パネル部の上端部に沿って照明装置が配設された間仕切りであって、前記照明装置は、光の出射方向が同じ方向となるように複数のＬＥＤ素子が基板上に並列して実装された線状光源と、上面が開口し、この開口から内部に前記線状光源が収容される基台と、前記前記線状光源からの出射光の光路上に配設される反射板とを備え、前記反射板は、第１の反射面と第２の反射面とを備え、前記第１の反射面及び第２の反射面は、前記線状光源における中心軸線の上方位置で会合し、かつ、前記会合部分から離れるにしたがって前記ＬＥＤ素子の出射面を含む平面との間の距離が大きくなるように構成され、前記ＬＥＤ素子から出射された光のうち、前記第１の反射面で反射した光で、前記パネル部を挟んだ一方側の領域を照明する一方、前記第２の反射面で反射した光で、前記パネル部を挟んだ他方側の領域を照明することを特徴とする。
【０００８】
また、本発明の請求項２に係る間仕切りは、上記請求項１において、前記照明装置における前記第１の反射面及び前記第２の反射面は、その長手方向と直交する断面形状が略Ｖ字状を成すことを特徴とする。
【０００９】
また、本発明の請求項３に係る間仕切りは、上記請求項１又は２において、前記照明装置における前記第１の反射面及び前記第２の反射面に微細な凹凸を形成したことを特徴とする。
【００１０】
また、本発明の請求項４に係る間仕切りは、上記請求項１から３のいずれか一つにおいて、前記照明装置における前記反射板が前記基台上に立設された支柱によって支持されており、前記支柱における前記反射板の支持面が、前記第１の反射板と第２の反射板との会合部分と合致する形状に形成されていることを特徴とする。
【発明の効果】
【００１１】
本発明の間仕切りによれば、パネル部に設けられる照明装置の光源としてＬＥＤ素子からなる線状光源を用いたことで、従来のように光源として蛍光管等を用いる場合と比べて照明装置を小型化することができるとともに、照明装置を様々な形状で構成することができる。その結果、間仕切りが大型化することなく、間仕切りの見栄えを向上させることができるとともに、パネル部に照明装置を設ける際の自由度を高めることができる。さらに、この照明装置は、線状光源からの出射光の光路上に配設された第１の反射面及び第２の反射面を備え、この第１の反射面及び第２の反射面は、線状光源における中心軸線の上方位置で会合し、かつ、会合部分から離れるにしたがってＬＥＤ素子の出射面を含む平面との間の距離が大きくなるように構成されている。照明装置を上記のように構成したことで、間仕切りで仕切られた両側の使用領域を十分な明るさで照明することができる。
【発明を実施するための最良の形態】
【００１２】
以下に添付図面を参照して、本発明に係る間仕切りの好適な実施の形態を詳細に説明する。
【００１３】
図１は、本実施の形態に係る間仕切り６０をオフィス等の室内に配置した一例を示す概略斜視図である。図１に例示される間仕切り６０は、天井から所定距離離間させて設置されるローパーティションであり、床面上の任意の位置に自立させて、室内空間を自由に仕切るように構成されている。図１に示す例では、複数の間仕切り６０が並設され、図示しない連結手段によって隣接する間仕切り６０同士が連結されている。なお、図１では図示を省略しているが、間仕切り６０の下端部には支持脚１６（図７、図９を参照）が設けられている。
【００１４】
図２は、間仕切り６０の概略を示した分解斜視図ある。なお、図２では、間仕切り６０の下方部分を省略している。また、図３は、図２に示した間仕切り６０のパネル部１１に取付けられる照明装置１０の上面図、図４は、図２に示した間仕切り６０の上部部分を正面から見た図、図５は、図４のＡ−Ａ線断面図、図６は、図４の矢視Ｂ図である。なお、図６では反射板５０を省略している。
【００１５】
間仕切り６０は、図２に示すように、照明装置１０とパネル部１１とから構成されている。照明装置１０は、パネル部１１で仕切られた両側の使用領域を照明するものであり、ＬＥＤ光源ユニット（線状光源）２０と、このＬＥＤ光源ユニット２０が収容される基台３０と、基台３０の上面に立設された一対の支柱４０と、一対の支柱４０に支持される反射板５０とから構成されている。
【００１６】
ＬＥＤ光源ユニット２０は、長尺状の基板２１上に、複数のＬＥＤ素子（表面実装型発光ダイオード）２２が等間隔に直線状に実装された線状光源である。ＬＥＤ素子２２としては、発光色が白色のチップ型ＬＥＤが用いられる。基板２１はアルミ製の平板である。本実施の形態では、ＬＥＤ光源ユニット２０として、幅約１０ｍｍ、長さ約７４０ｍｍ、厚さ約２ｍｍの大きさの基板２１上にＬＥＤ素子２２を２０個配置したものを適用している。
【００１７】
ＬＥＤ素子２２は、蛍光灯や白熱灯と比べて指向性の高い光源であるが、光の出射角度（出射範囲）が１５°の狭角タイプから１２０°の広角タイプまで様々な種類のものが知られている。本実施の形態では、出射角度が１２０°のＬＥＤ素子２２を、２２ｍｍの間隔で、かつ、光の出射方向が同じ方向となるように配置している。これにより、照度が均一な線状の照明が得られる。
【００１８】
基板２１上に実装された複数のＬＥＤ素子２２は、配線２３を通して、商用電源からの交流電圧１００Ｖを直流電圧２４Ｖに変換する交流・直流変換器（ＡＣ／ＤＣコンバータ）に接続されている。また、交流・直流変換器は、配線を介して図示しないスイッチに接続されている。
【００１９】
基台３０は、上述したＬＥＤ光源ユニット２０を収容する長尺状の部材である。この基台３０は、アルミニウム又はアルミニウム合金を押出し成形することによって形成されたものであり、図５に示すように、上面部３１、側面部３２ａ，３２ｂ及び下面部３３とを備えて構成されている。基台３０の上面部３１には、基台３０の長手方向に沿って延在する開口３４が形成され、この開口３４の内部に、側面部３２ａ，３２ｂで囲まれた光源収容部３５が設けられている。
【００２０】
光源収容部３５は、上述したＬＥＤ光源ユニット２０を収容するための凹所である。光源収容部３５の幅方向寸法及び長手方向寸法は、ＬＥＤ光源ユニット２０とほぼ同じ大きさに形成され、その高さ寸法は、ＬＥＤ素子２２が完全に収容される程度の深さを有している。光源収容部３５の開口部３４は、図５に示すように、アクリル製の透明な板材から構成された防埃カバー３６で塞がれている。また、図４に示すように、光源収容部３５の底壁部分から下面部３３を貫通する態様で、ＬＥＤ光源ユニット２０の配線２３を通すための貫通孔３５ａが形成されている。
【００２１】
また、図５に示すように、基台３０の下面部３３の両端部には、基台３０の長手方向に沿った凹部３７ａ，３７ｂが設けられている。この凹部３７ａ，３７ｂは、後述するパネル部１１の平板部材１２，１３の上端部１２ａ，１３ａがそれぞれ嵌合される部位である。なお、本実施の形態で適用する基台３０は、高さ３０ｍｍ程度、幅２８ｍｍ程度、長さ９００ｍｍ程度の大きさであり、基台３０の光源収容部３５は、幅１０ｍｍ程度、長さ７４０ｍｍ程度、深さ９ｍｍ程度の大きさを有したものである。
【００２２】
支柱４０は、後述する反射板５０を支持する角材であり、上述した基台３０の上面部３１の左右両端部、すなわち、開口部３４の両脇にそれぞれ立設されている。支柱４０は、アルミニウム又はアルミニウム合金から構成されている。この支柱４０は、図２に示すように、基台３０の上面部３１に穿設された孔３９にその下端部が嵌め込まれた状態でボルト締結されることにより（図４を参照）、基台３０の上面部３１に取付け・固定されている。なお、本実施の形態で適用する支柱４０は、１５ｍｍ角程度、高さ３０ｍｍ程度の大きさを有したものである。
【００２３】
支柱４０の上面部４１には、後述する反射板５０が支持される。図２に示すように、反射板５０における第１の反射面５１と第２の反射面５２は、その長手方向に直交する断面形状が略Ｖ字を成している。そのため、反射板５０を支持する支柱４０の上面部４１は、第１の反射面５１と第２の反射面５２の会合部分５５付近の形状と合致するＶ字状に形成されている。なお、図６における符号４２は、反射板５０を取付けるためのボルト孔である。
【００２４】
反射板５０は、上述したＬＥＤ光源ユニット２０からの出射光を反射させるための長尺状の部材であり、アルミニウム又はアルミニウム合金を押出し成形することによって形成されたものである。反射板５０の長手方向の寸法は、図２及び図３に示すように、基台３０の長手方向の寸法とほぼ同じ長さである。また、反射板５０の幅方向の寸法は、ＬＥＤ光源ユニット２０の幅方向の寸法よりも大きく形成されている。本実施の形態で適用する反射板５０は、幅方向の寸法が８０ｍｍ程度の大きさに形成されたものである。この反射板５０は、上述した支柱４０を介して、基台３０の上方位置であってＬＥＤ光源ユニット２０からの出射光の光路上に配設されている。
【００２５】
反射板５０は、図５に示すように、第１の反射面５１及び第２の反射面５２とを備えている。第１の反射面５１及び第２の反射面５２は、ＬＥＤ光源ユニット２０における中心軸線Ｌ（図３を参照）の上方位置で会合し、かつ、この会合部分５５から離れるにしたがって、ＬＥＤ素子２２の出射面を含む平面との間の距離Ｘ（図５を参照）が大きくなるように傾斜して配置されている。より具体的に説明すると、第１の反射面５１及び第２の反射面５２の長手方向に直交する断面形状は、図５に示すように、ＬＥＤ光源ユニット２０側に凸となる略Ｖ字状を成している。なお、本実施の形態では、第１の反射面５１と第２の反射面５２の上部に上面部５３を設けることで、反射板５０の強度を向上させている。しかしながら、必要な強度が確保される場合には、上面部５３を省略してもよい。
【００２６】
図示は省略するが、第１の反射面５１及び第２の反射面５２には、シボ加工やシボ塗装等の粗面加工が施されることにより、微細な凹凸（梨地面）が形成されている。第１の反射面５１及び第２の反射面５２に形成された微細な凹凸でＬＥＤ光源ユニット２０からの出射光を乱反射させることで、より広範囲な領域を照明することができるようになる。
【００２７】
上述した反射板５０は、第１の反射面５１及び第２の反射面５２の会合部分５５を支柱４０の上面部４１に当接させた状態でボルト締結されることにより（図４を参照）、支柱４０に対して取付け、固定される。なお、基台３０と反射板５０の左右両端部には、図４に示すようにそれぞれエンドカバー３８，５４が取付けられている。
【００２８】
パネル部１１は、図５に示すように、一対の平板部材１２，１３の間にスペーサ１４を介在させることによって形成された板材である。一対の平板部材１２，１３は、木材や合成樹脂等の材料から構成されている。このパネル部１１の幅寸法及び厚み寸法は、図２に示すように、照明装置１０における基台３０の長手方向寸法及び幅方向寸法とほぼ同じ長さを有している。また、パネル部１１の高さ寸法は、９００ｍｍ〜２２００ｍｍ程度である。パネル部１１の左右両端部には、図４に示すようにエンドカバー１５が取付けられており、パネル部１１と基台３０の左右両端部は略面一となっている。
【００２９】
上述した照明装置１０は、図５に示すように、基台３０の下面部３３に設けられた凹部３７ａ，３７ｂを、パネル部１１における一対の平板部材１２，１３の上端部１２ａ，１３ａに嵌合させた状態でボルト締結されることにより（図４を参照）、パネル部１１の上端部に沿って取付け・固定される。
【００３０】
図７は、間仕切り６０の側面図であり、図８は、図７において照明装置１０の部分を拡大して示した図である。図７及び図８で示される矢印は、ＬＥＤ光源ユニット２０から出射して第１の反射面５１及び第２の反射面５２で反射する光を概念的に示すものである。なお、図７では基台３０の形状を簡略化して示している。以下、図７及び図８を参照しながら、照明装置１０を備えた間仕切り６０の作用について説明する。
【００３１】
照明装置１０のスイッチが入ると、ＬＥＤ光源ユニット２０における基板２１上のすべてのＬＥＤ素子２２が点灯し、上方に向けて光が出射される。ＬＥＤ素子２２から出射された光のうち、第１反射面５１に入射した光は、間仕切り６０を挟んだ一方側の使用領域Ａ１に向けて反射し、この使用領域Ａ１を照明する。一方、ＬＥＤ素子２２から出射された光のうち、第２反射面５２に入射した光は、間仕切り６０を挟んだ他方側の使用領域Ａ２に向けて反射し、この使用領域Ａ２を照明する。ここで、使用領域Ａ１，Ａ２とは、使用者が作業等を行う空間であり、照明すべき領域を意味する。
【００３２】
図８に示すように、ＬＥＤ素子２２から出射された光は、様々な入射角度で第１の反射面５１及び第２の反射面５２に入射するため、広範囲に広がる反射光が得られる。このとき、第１反射面５１及び第２反射面５２は、ＬＥＤ素子２２からのすべての出射光を反射させるのに十分な大きさ（幅方向寸法）を有している必要があるが、同時に、小型化の観点から必要以上に大きくならないように形成する必要がある。そのため、図８に一例として示すように、ＬＥＤ素子２２から出射される光のうち出射角度のもっとも大きい光が、第１の反射面５１及び第２の反射面５２における各端部の近傍で反射するように、第１の反射面５１及び第２の反射面５２の大きさを決めるのが好ましい。
【００３３】
図８に示すように、第１の反射面５１と第２の反射面５２の会合部分５５を含む水平面と、第１の反射面５１とのなす角度θ１（以下、第１反射面の傾斜角度θ１とよぶ）を大きくするほど、第１の反射面５１に入射する光の入射角度の取り得る範囲が広くなり、かつ、入射角度が大きくなるため、パネル部１１からより離れた位置を照らすことができる。同様に、会合部分５５を含む水平面と、第２の反射面５２とのなす角度θ２（以下、第２反射面の傾斜角度θ２とよぶ）を大きくするほど、第２の反射面５２に入射する光の入射角度の取り得る範囲が広くなり、かつ、入射角度が大きくなるため、パネル部１１からより離れた位置を照らすことができる。したがって、第１反射面５１及び第２反射面５２の傾斜角度θ１及びθ２は、使用領域Ａ１，Ａ２の大きさ（パネル部１１からの距離）に応じて決めるようにする。
【００３４】
ここで、第１の反射面５１及び第２の反射面５２を鏡面とした場合には、第１の反射面５１及び第２の反射面５２の各傾斜角度θ１，θ２を大きくするほど、パネル部１１の近傍に達する光の量が減り、パネル部１１の表面付近が暗くなると考えられる。本実施の形態では、上述したように第１の反射面５１及び第２の反射面５２に微細な凹凸加工を施し、この微細な凹凸で光を乱反射させているため、パネル部１１の表面付近を十分な明るさで照明することができる。
【００３５】
また、ＬＥＤ光源ユニット２０から反射板５０までの距離が短いほど、反射板５０の大きさを小さくすることができるが、第１の反射面５１及び第２の反射面５２にそれぞれ入射する光の入射角度の取り得る範囲が狭くなるため、照明範囲が狭くなると考えられる。反対に、ＬＥＤ光源ユニット２０から反射板５０までの距離が長いほど、第１の反射面５１及び第２の反射面５２にそれぞれ入射する光の入射角度の取り得る範囲が広くなるため、照明範囲が広くなると考えられるが、その分、反射板５０の大きさを大きくする必要がある。
【００３６】
このように、ＬＥＤ素子２２の出射角度、第１の反射面５１及び第２の反射面５２の傾斜角度θ１，θ２、ＬＥＤ光源ユニット２０から反射板５０までの距離、第１の反射面５１及び第２の反射面５２の表面仕上げを、照明する領域の大きさに応じて特定することで、照明装置本体を小型化するとともに、照明する領域に応じた効率的な配光を得ることができる。
【００３７】
なお、図７及び図８では、第１の反射面５１及び第２の反射面５２における傾斜角度θ１，θ２を同じ角度としているが、使用領域Ａ１と使用領域Ａ２の広さが異なる場合には、傾斜角度θ１，θ２を異ならせてもよい。例えば、使用領域Ａ１よりも、使用領域Ａ２の方が広い場合には、傾斜角度θ２を傾斜角度θ１よりも大きくする。
【００３８】
また、ＬＥＤ素子２２から出射される光自体は熱を発しないが、ＬＥＤ光源ユニット２０自体は多量の熱を発生するため、ＬＥＤ光源ユニット２０が発する熱を放熱する必要がある。本実施の形態では、上述したように、照明装置１０を構成する基台３０、支柱４０及び反射板５０を、熱伝動率の高いアルミ製の成形品で構成しているため、照明装置１０の全体が、大きな表面積を有する放熱板としての機能を有している。したがって、ＬＥＤ光源ユニット２０から発する熱を効果的に放熱させることができる。さらに、照明装置１０の熱がパネル部１１に伝動することにより、間仕切り６０全体で放熱させることができる。
【００３９】
なお、図１〜図８に示した照明装置１０は、基台３０を外部に露出させた状態でパネル部１１の上端部に取付けた構成としたが、図９に示すように、基台３０をパネル部１１の上端部内部に収容した構成としてもよい。図９は、基台３０をパネル部１１の上端部内部に収容した照明装置１０の一例を示す概略分解斜視図である。図９に示す例では、基台３０をパネル部１１の上端部内部に収容するとともに、その上部にカバー５６を取付け、カバー５６上に支柱４０を立設して反射板５０を支持させた構成としている。図９に示される基台３０は、パネル部１１における平板部材１２，１３の間の空間に完全に収容される程度の大きさに形成され、上部が開口した長尺状の箱体であり、開口部３４の内部にＬＥＤ光源ユニット２０が収容される。また、カバー５６は、パネル部１１の上端部開口全域を覆う程度の大きさを有したものであり、基台３０に収容されるＬＥＤ光源ユニット２０に対応する部位に開口部５７（貫通孔）が形成されるとともに、その左右両端部に支柱４０が立設されている。ＬＥＤ光源ユニット２０、支柱４０及び反射板５０の形状は図１〜図８で示した例と同じである。このように、基台３０をパネル部１１の上端部内部に収容した構成とすることで、照明パネル６０の見栄えをさらに向上させることができ、かつ、ＬＥＤ光源ユニット２０から発する熱をカバー５６、支柱４０、反射板５０に伝導させることで効果的に放熱させることができる。
【００４０】
次に、図１０は、間仕切り６０の他の例を示す概略斜視図である。図１に示される間仕切り６０が平板状に構成されているのに対し、図１０に例示される間仕切り６０は、水平方向の断面が曲線状を成している。このため、照明装置１０を構成するＬＥＤ光源ユニット２０、基台３０及び反射板５０は、パネル部１１の曲面に沿うように湾曲した形状に形成されている。図示は省略するが、ＬＥＤ光源ユニット２０の複数のＬＥＤ素子２２は、曲線状に並列して配置されている。このように、本実施の形態では、パネル部１１の上端に設けられる照明装置１０の光源として、基板２１上に複数のＬＥＤ素子２２を並列して実装した線状光源を用いているため、あらゆる形状のパネル部１１に設置することが可能である。このため、直線状且つ長さが決まっている蛍光灯を光源として用いる場合と比べて、照明装置１０の設置の自由度が高い。
【００４１】
なお、図１０に示すように間仕切り６０が湾曲した形状を有している場合であっても、図１に示した平板状の間仕切り６０と同様に、ＬＥＤ光源ユニット２０から出射された光を間仕切り６０で仕切られた両側の使用領域Ａ１，Ａ２に向けて効率よく光を反射させることができ、使用領域Ａ１，Ａ２を十分な明るさで照明することができる。
【００４２】
以上説明したように、本実施の形態の間仕切り６０によれば、パネル部１１に設置される照明装置１０の光源として複数のＬＥＤ素子２２を線状に並列して実装したＬＥＤ光源ユニット２０を用いたことで、従来のように光源として蛍光管や白熱灯を用いる場合と比べて照明装置を小型化することができる。その結果、間仕切り６０が大型化することなく、間仕切り６０の見栄えを向上させることができるとともに、パネル部１１に照明装置１０を設ける際の自由度を高めることができる。
【００４３】
また、本実施の形態の間仕切り６０に設けられる照明装置１０は、ＬＥＤ光源ユニット２０からの出射光の光路上に配設された第１の反射面５１及び第２の反射面５２を備え、この第１の反射面５１及び第２の反射面５２は、ＬＥＤ光源ユニット２０における中心軸線Ｌの上方位置で会合し、かつ、会合部分５５から離れるにしたがって、ＬＥＤ素子２２の出射面を含む平面との間の距離が大きくなるように構成されている。その一例として、本実施の形態では、第１の反射面５１及び第２の反射面５２の断面形状を略Ｖ字状に形成している。このため、光源へ戻ってしまう反射光がほとんど無く、パネル部１１を挟んだ両側の使用領域に効率よく光を反射させることができ、使用領域の全体を十分な明るさで照明することが可能となる。
【００４４】
また、使用者の身長よりも高い寸法の間仕切り６０を設置した場合、第１の反射面５１及び第２の反射面５２が使用者の視野に入るため、照明装置１０の実際の照度に比べ、感覚的な明るさをあわせ得ることができる。また、第１の反射面５１及び第２の反射面５２には上述した微細な凹凸加工が施されているため、第１の反射面５１及び第２の反射面５２が使用者の視野に入った場合に眩しさを抑えることができる。
【００４５】
また、本実施の形態の間仕切り６０によれば、照明装置１０におけるＬＥＤ素子２２の出射角度、第１の反射面５１及び第２の反射面５２の傾斜角度θ１，θ２、ＬＥＤ光源ユニット２０から第１反射面５１及び第２反射面５２までの距離を、照明する領域の広さに応じて特定することで、照明する領域に応じた効率的な配光を得ることができる。
【００４６】
また、本実施の形態の間仕切り６０によれば、第１の反射面５１及び第２の反射面５２に、シボ加工等により微細な凹凸を形成し、この微細な凹凸によってＬＥＤ光源ユニット２０からの出射光を乱反射させるようにしたことで、パネル部１１の表面や床面等を幅広く照射することができる。
【００４７】
さらに、本実施の形態の間仕切り６０によれば、照明装置１０を構成する基台３０、支柱４０及び反射板５０を、熱伝動率の高いアルミ製の成形品で構成したことで、ＬＥＤ光源ユニット２０から発する熱を効果的に放熱させることができる。さらに、照明装置１０の熱がパネル部１１に伝動することで、間仕切り６０全体で放熱させることができる。
【００４８】
加えて、本実施の形態の間仕切り６０によれば、照明装置１０の支柱４０における支持面４１を、反射板５０の会合部分５５付近の形状に合致する形状としたことで、支柱４０が回転してしまうことなく、１本のボルトで固定することができる。また、反射板５０の第１反射面５１及び第２反射面５２の角度を安定させることができる。
【００４９】
なお、上記実施の形態では、照明装置１０の反射板５０（第１の反射面５１及び第２の反射面５２）として、断面形状が略Ｖ字状に形成されたものを用いたが、これに限定されるものではなく、断面形状が略Ｕ字状等、他の形状の反射板を用いることも可能である。
【図面の簡単な説明】
【００５０】
【図１】本実施の形態に係る間仕切りの一例を示す概略斜視図である。
【図２】図１に示した間仕切りの概略を示した分解斜視図ある。
【図３】図２に示した間仕切りに設けられる照明装置の上面図である。
【図４】図２に示した間仕切りの上部部分を正面から見た図である。
【図５】図４のＡ−Ａ線断面図である。
【図６】図４の矢視Ｂ図である。
【図７】図１に示した間仕切りの側面図であり、反射板で反射する光の方向を概念的に示した図である。
【図８】図７に示した照明装置の部分を拡大して示した図である。
【図９】照明装置の他の形状例を示した分解斜視図である。
【図１０】本実施の形態に係る間仕切りの他の例を示す概略斜視図である。
【符号の説明】
【００５１】
１０    照明装置
１１    パネル部
１２，１３    平板部材
１２ａ，１３ａ    平板部材の上端部
１４    スペーサ
１５    エンドカバー
１７，１８    取付部材
２０    ＬＥＤ光源ユニット
２１    基板
２２    ＬＥＤ素子
２３    配線
３０    基台
３１    上面部
３２ａ，３２ｂ    側面部
３３    下面部
３４    開口部
３５    光源収容部
３６    防埃カバー
３７ａ，３７ｂ    凹部
３８    エンドカバー
３９    孔
４０    支柱
４１    （支柱の）上面部
４２    ボルト孔
５０    反射板
５１    第１の反射面
５２    第２の反射面
５３    （反射板）の上面部
５４    エンドカバー
５５    会合部分
５６    カバー
５７    （カバーの）開口部
６０    間仕切り
【図１】
2010189836.tif 000003
【図２】
2010189836.tif 000004
【図３】
2010189836.tif 000005
【図４】
2010189836.tif 000006
【図５】
2010189836.tif 000007
【図６】
2010189836.tif 000008
【図７】
2010189836.tif 000009
【図８】
2010189836.tif 000010
【図９】
2010189836.tif 000011
【図１０】
2010189836.tif 000012